(57)【要約】【課題】樹脂部品を劣化しにくくする。【解決手段】室内から空気を吸入するファン０５と、ファンの空気吹出側に設けられた室内熱交換器０７と、室内熱交換器から発生するドレン水を受けるドレンパン０８と、室内熱交換器に紫外線を照射する紫外線ランプ０６とを有する空気調和機において、ファンとドレンパンの少なくとも何れか１つが樹脂製であり、紫外線ランプを室内熱交換器よりもファンの回転軸側に配置し、紫外線ランプとドレンパンとの間及び紫外線ランプとファンとの間であって、紫外線ランプの照射線上に反射板０４を設ける。【選択図】  図１
2012189249.tif 000002
【特許請求の範囲】
【請求項１】
室内から空気を吸入するファンと、前記ファンの空気吹出側に設けられた室内熱交換器と、前記室内熱交換器から発生するドレン水を受けるドレンパンと、前記室内熱交換器に紫外線を照射する紫外線ランプとを有する空気調和機において、
前記ファンと前記ドレンパンの少なくとも何れか１つが樹脂製であり、
前記紫外線ランプを前記室内熱交換器よりも前記ファンの回転軸側に配置し、前記紫外線ランプと前記ドレンパンとの間及び前記紫外線ランプと前記ファンとの間であって、前記紫外線ランプの照射線上に反射板を設けることを特徴とする空気調和機。
【請求項２】
請求項１において、前記紫外線ランプは柱状であり、前記ファンの吹出部より下に配置されることを特徴とする空気調和機。
【請求項３】
請求項２において、前記紫外線ランプは前記ドレンパンの側壁の高さより上に配置されることを特徴とする空気調和機。
【請求項４】
請求項１において、前記紫外線ランプは柱状であり、前記室内熱交換器のコーナ部に前記ファンの回転軸の向きに沿って配置されることを特徴とする空気調和機。
【請求項５】
請求項１乃至４の何れかにおいて、前記ドレンパンと前記ファンの材質をＰＰ，ＡＥＳ，ＡＳＡの何れかとすることを特徴とする空気調和機。
【請求項６】
請求項１乃至５の何れかにおいて、前記ドレンパンと前記ファンの表面に紫外線反射材または紫外線吸収剤を含有することを特徴とする空気調和機。
【請求項７】
請求項１乃至６の何れかにおいて、前記室内熱交換器に二酸化チタンを塗布することを特徴とする空気調和機。
【発明の詳細な説明】
【技術分野】
【０００１】
本発明は空気調和機に関する。
【背景技術】
【０００２】
空気調和機には、室内熱交換器から発生したドレン水を溜めるドレンパンが備えられている。このドレン水に菌が繁殖すると異臭等が発生する問題があるため、従来技術として、空気調和機の室内熱交換器またはドレンパンに紫外線を照射する紫外線ランプを具備しているものがある。
【０００３】
特許文献１には、室内熱交換器の上端部近傍にランプが設けられ、このランプからドレンパン内に向けて紫外線を含む光を照射し、ランプの点灯をリモコンで操作することが開示されている。これにより、ドレンパンを容易に殺菌でき、菌の増殖を長期間にわたり継続的に抑制することができる。
【先行技術文献】
【特許文献】
【０００４】
【特許文献１】特開２００１−３２４１９５号公報
【発明の概要】
【発明が解決しようとする課題】
【０００５】
しかし、ドレンパンは樹脂成型されることが多く、上記特許文献のものでは樹脂部品に紫外線が当たることについては考慮されていない。
【０００６】
本発明の目的は、樹脂部品を劣化しにくくすることにある。
【課題を解決するための手段】
【０００７】
上記目的を達成するため、本発明は、室内から空気を吸入するファンと、前記ファンの空気吹出側に設けられた室内熱交換器と、前記室内熱交換器から発生するドレン水を受けるドレンパンと、前記室内熱交換器に紫外線を照射する紫外線ランプとを有する空気調和機において、前記ファンと前記ドレンパンの少なくとも何れか１つが樹脂製であり、前記紫外線ランプを前記室内熱交換器よりも前記ファンの回転軸側に配置し、前記紫外線ランプと前記ドレンパンとの間及び前記紫外線ランプと前記ファンとの間であって、前記紫外線ランプの照射線上に反射板を設けることを特徴とする。
【発明の効果】
【０００８】
本発明によれば、樹脂部品を劣化しにくくすることができる。
【図面の簡単な説明】
【０００９】
【図１】本発明の一実施の形態による空気調和機の内部構造図。
【図２】本発明の一実施の形態おける空気調和機の鉛直方向から見た全体図。
【図３】本発明の一実施の形態おける室内熱交換器コーナ部の拡大図。
【発明を実施するための形態】
【００１０】
以下、本発明の実施の形態を図面を参照して詳細に説明する。
【００１１】
図１は本発明の一実施形態による空気調和機の断面図を示す。空気調和機が運転されると、ファン０５が回転を始めキャビネット０１の中央部に設けられた吸入口０２より空気を吸入する。吸入された空気はファン０５を通過し、ファンの回転軸と垂直の方向へ向きを変え室内熱交換器０７を一次側から二次側に通過する。空気は室内熱交換器０７にて冷媒と熱交換した後、キャビネット０１内に形成された流路を通過し、室内側の天井面に配置された化粧パネル１２の吹出口１０を通過し室内へと吹出される。
【００１２】
本実施例の空気調和機は室内の天井裏に埋設されているが、天井面に吊下げられるものでもよい。この空気調和機は、室外機（図示なし）と冷媒配管で接続されている。室外機内には圧縮機（図示なし）や室外熱交換器（図示なし）等が設けられている。例えば冷房運転時には、圧縮機で高温高圧に圧縮されたガス冷媒が室外熱交換器で外気と熱交換し凝縮して高圧液冷媒となる。この冷媒は室外機を流出しキャビネット０１内に流入して、膨張弁（図示なし）で減圧し、室内熱交換器０７に流入し、室内熱交換器０７で室内空気と熱交換して低圧ガス冷媒となり、圧縮機に戻って循環する。
【００１３】
室内熱交換器０７で冷媒と空気が熱交換することによってドレン水が発生する。キャビネット０１にはドレンパン０８が固定され、ドレンパン０８の上部に室内熱交換器０７が設置される。ドレンパン０８は凹形状をしており、この凹部に室内熱交換器０７から流れ落ちるドレン水が溜められる。ドレンパン０８は成型しやすく断熱効果のあるＰＳ発泡材やＰＰ発泡材などの樹脂材料を使用している。
【００１４】
空気調和機は室内熱交換器０７にドレン水が発生し、菌が繁殖しやすい環境にあるため、紫外線ランプ０６を設けている。紫外線の照射によって室内熱交換器０７の上の菌を殺菌して、継続的に抗菌作用を得ることができる。
【００１５】
本実施例の紫外線ランプ０６は細長い円柱形状であり、軸方向の各位置から放射状に紫外線を照射する。室内熱交換器０７はファン０５を囲むように略ロの字型に設ける。吹出口１０の長手方向に沿う部分の室内熱交換器０７は、上（ファン回転軸方向）から見て略直線状になっており、この部分の室内熱交換器０７に沿うように紫外線ランプ０６をベルマウス１５上に寝かせる。紫外線ランプ０６は周方向に紫外線を照射するので、紫外線ランプ０６の長手方向と室内熱交換器０７の照射面とを平行としたり、紫外線ランプ０６の長さを室内熱交換器０７の一辺（紫外線ランプの長手方向）の長さを同じくらいにすれば、紫外線ランプ０６からの照射距離が均等になり、室内熱交換器０７に均等に紫外線を照射し易くなる。
【００１６】
室内熱交換器０７の一辺に紫外線ランプ０６を少なくとも１つ設ける。本実施例ではフィンと配管（何れも図示なし）を含めた室内熱交換器０７がファン０５の周りを一周しているので、紫外線ランプ０６は少なくとも４つ設けることが好ましい。
【００１７】
ベルマウス１５上に横たわっている紫外線ランプ０６は、室内熱交換器０７とドレンパン０８よりファン０５回転軸側に配置されると共に、紫外線ランプ０６とファン０５、紫外線ランプ０６とドレンパン０８とをそれぞれ結ぶ照射線上に反射板０４を配置する。即ち、紫外線ランプ０６の照射先に樹脂部品であるファン０５とドレンパン０８を配置しないか、配置される場合にはこれらの樹脂部品と紫外線ランプ０６との間に紫外線を遮蔽する反射板０４を配置する。これにより、放射状に照射される紫外線が樹脂部品であるファン０５やドレンパン０８に当たることを防止できるので、これらが劣化することを防止できる。また、紫外線ランプ０６はドレンパン０８よりファン回転軸側に配置されているため、紫外線ランプ０６より照射された紫外線が吹出口１０より室内へ漏れることがなく、室内側から人の目に着くことなく意匠性を損なう心配がない。
【００１８】
また、紫外線ランプ０６はファン０５吹出部より下方に配置されるとよい。これにより、ファン０５から吹出された空気の流れを邪魔しないので空気抵抗が小さくなり、騒音が増加しにくくなる。
【００１９】
更に、紫外線ランプ０６はドレンパン０８の壁の高さより上に配置されるとよい。図の紫外線ランプ０６は、ドレンパン０８の壁の最上部よりやや下方に配置されているので、この場合はドレンパン０８の壁の最上部からベルマウス１５にかけて傾斜する反射板０４設け、その上に紫外線ランプ０６を配置することでドレンパン０８への照射を防止する。例えば紫外線ランプ０６の下端がドレンパン０８の壁の最上部と同じ高さに位置しているとすれば、紫外線ランプ０６とドレンパン０８との間に設けられる反射板０４は、紫外線ランプ０６の下部にほぼ水平に設けられることになる。即ち、紫外線ランプ０６がドレンパン０８の壁の高さより上に配置されると、照射可能な範囲が広くなる（反射板０４により覆われる紫外線ランプ０６の面積が小さくなる）。これにより、紫外線ランプ０６で有効に照射することができる。
【００２０】
反射板０４は平板でなく、照射方向が樹脂部品の向きとなる部分を覆うように紫外線ランプ０６に貼りつけて、照射面積を減らすものでもよい。これによれば、別部材で反射板０４を設ける場合よりもキャビネット０１内のスペースが小さくなる。また、ファン０５から吹出された空気の流れを邪魔しないので空気抵抗が小さくなり、騒音が増加しにくくなる。
【００２１】
反射板０４は、反射板０４を挟んで紫外線ランプ６と向かい合う部材に紫外線が照射されないように遮蔽するだけでなく、紫外線を反射させると共に、紫外線ランプ０６からの紫外線を反射し室内熱交換器０７に向けて集光させてもよい。これにより、紫外線の照射量を増やし、積極的に室内熱交換器０７の除菌することができる。
【００２２】
また図２において、室内熱交換器０７とファン０５の間であり室内熱交換器０７のコーナ部に、ファン回転軸と平行の向きに配置する。この場合図３のように紫外線ランプ０６から紫外線がファンの径方向に照射され、室内熱交換器０７のフィンの隙間を通過することがなく、吹出口１０側の樹脂部品へ照射されないため、キャビ内壁０９の断熱材や吹出口１０を形成している化粧パネル１２等の樹脂部品の劣化を防止することができる。紫外線ランプ０６とファン０５の間には反射板１３が取付けられており、紫外線ランプ０６からの紫外線を反射し室内熱交換器０７に向けて集光することで、積極的に室内熱交換器０７の除菌することができる。
【００２３】
ドレンパン０８とファン０５，キャビ内壁０９の材質を耐候性に優れた材料とする。耐候性に優れた材料としてはＰＰ材（ポリプロピレン）やＡＥＳ（アクリロニトリルエチレンプロピレンジエンスチレン），ＡＳＡ（アクリロニトリルスチレンアクリレート），塩化ビニル等があるが、部品の形状や寸法，使用状態から適切な材料を選定する。通常使用されているＰＳ材（ポリスチレン）やＡＢＳ材（アクリルブタジエンスチレン）に比べ前述した耐候性がある材料を使用することで、紫外線ランプ０６から照射される紫外線による劣化を防ぐことができる。ＰＰ材に関しては室外機のカバーにも使用されており、入手性や汎用性に優れている。また図１において、ドレンパン０８の水を溜めるシート１１に耐候性に優れた材料を使用することで、ドレンパン０８の発泡部への水の浸透防止に加え、ドレンパン０８の発泡部の紫外線による劣化を防止することができる。さらにドレンパン０８以外の部位、例えばキャビ内壁０９の断熱材やファン０５の紫外線が照射される部位にＰＰ材のシート１１を溶着することで紫外線による劣化を防止することができる。
【００２４】
ドレンパン０８とファン０５，キャビ内壁０９に紫外線反射材または紫外線吸収剤を塗布する。紫外線反射材には酸化チタン，酸化亜鉛などがあり、紫外線吸収剤にはオキシベンゾン，シラソーマなどがある。樹脂部品の表面に紫外線反射材または紫外線吸収剤が含まれることで、樹脂部品への紫外線の直接の照射を防ぎ、樹脂部品の劣化を防止できる。
【００２５】
室内熱交換器０７に光触媒（二酸化チタン）を塗布する。光触媒は紫外線を照射されることで、化学反応を起こし室内熱交換器０７に付着している菌を分解し、臭いの元となる菌を除去することができる。これにより、室内熱交換器０７を通過する空気は臭いの元となる菌に触れることなく室内へ送り出されるため、吹出口１０からの異臭を防ぐことができる。また室内熱交換器０７の表面は清潔な状態を保つことができるため、室内熱交換器フィン１４表面を通過する空気の流動抵抗が経年的に増加することを防止することができる。これに加え菌の繁殖による室内熱交換器フィン１４表面の粗面化が緩和されるため、ドレン水が室内熱交換器０７に留まりにくく、ドレンパン０８に流れやすくなるため、室内熱交換器０７を通過する空気の通風抵抗が少なくて済む。
【００２６】
その他、本発明を実現するために最低限必要な構成要素は、室内空気を吸入する吸込口０２，回転することで空気の流れを作り出すファン０５，熱交換を行う室内熱交換器０７，室内熱交換器０７からのドレン水を受けるドレンパン０８，室内へ空気を導く吹出口１０、吹出口１０を構成している化粧パネル１２である。図２は４方向吹出しの空気調和機であり吹出口１０が４つ存在しているが、吹出口１０の数が２つや１つにすることも、室内機キャビネットを床置きするタイプのものでもよい。
【符号の説明】
【００２７】
０１  キャビネット
０２  吸込口
０３，１５  ベルマウス
０４，１３  反射板
０５  ファン
０６  紫外線ランプ
０７  室内熱交換器
０８  ドレンパン
０９  キャビ内壁
１０  吹出口
１１  シート
１２  化粧パネル
１４  室内熱交換器フィン
【図１】
2012189249.tif 000003
【図２】
2012189249.tif 000004
【図３】
2012189249.tif 000005